(57)【要約】スイッチ当接部と光遮断部を有し、検知ピンにディスクの外縁が当接することにより当該ディスクのローディング動作およびイジェクト動作に応じて回動するディスク検知レバーと、スイッチ当接部により切り替えられることによりローディング開始位置を検出すると共にディスクの挿入状態を検出する１個のスイッチと、光遮断部およびディスクのいずれかにより遮光状態が保たれることによりディスクの挿入状態を検出すると共に、ディスクによる遮光状態の解除後で光遮断部による遮光状態が解除されたときにイジェクト完了位置を検出する１個の光センサを備えた。
2009016790.tif 000002
【特許請求の範囲】
【請求項１】
スリット状の開口部から挿入されたディスクのローディング開始位置を検出してローラを回転させ、前記ローラにより前記ディスクを再生位置まで運んでターンテーブル上にセットするローディング動作と、前記ターンテーブル上のディスクを外して逆転させた前記ローラにより運び、前記ディスクを前記開口部から掴み取り出し可能となるイジェクト完了位置を検出してローラを停止させるイジェクト動作とを行うディスク再生装置において、
スイッチ当接部と光遮断部を有し、検知ピンにディスクの外縁が当接することにより当該ディスクのローディング動作およびイジェクト動作に応じて回動するディスク検知レバーと、
前記スイッチ当接部により切り替えられることによりローディング開始位置を検出すると共に前記ディスクの挿入状態を検出する１個のスイッチと、
前記光遮断部および前記ディスクのいずれかにより遮光状態が保たれることにより前記ディスクの挿入状態を検出すると共に、前記ディスクによる遮光状態の解除後で前記光遮断部による遮光状態が解除されたときにイジェクト完了位置を検出する１個の光センサを備えたことを特徴とするディスク再生装置。
【発明の詳細な説明】
【技術分野】
【０００１】
この発明は、スロットイン方式のディスク再生装置に関し、特にディスクの挿入状態を検知する手段に関するものである。
【背景技術】
【０００２】
近年、ＣＤやＤＶＤなどの光ディスクを演奏する車載用のディスク再生装置では、狭い車内を有効にするためにディスクを出し入れするトレイを持たず、ディスクを直接スリット状の開口部に挿入するスロットイン方式が採用されている。この方式では、開口部の所定位置まで挿入されたディスクを自動的に再生位置に運んでターンテーブル上にセットするローディング動作と、演奏後ターンテーブル上のディスクを外して開口部から掴み取り出し可能となる位置まで運ぶイジェクト動作を自動的に行う。このディスク再生装置では、ローディング時およびイジェクト時にディスクがスリット状の開口部からかなり露出する状態があるため、ユーザが無理矢理ディスクを押し込んだり、抜き出したりする恐れがある。そのため、ローディング開始位置およびイジェクト完了位置は勿論のこと、ディスク再生装置内にあるディスクの位置を把握するための検知手段が必要となる。【０００３】
車載用のディスク再生装置では、複数の光センサを用いてローディング開始時からイジェクト終了時までの間のディスクの位置を確実に検出できるようにした技術がある（例えば特許文献３に従来例として示された図１１参照）。光センサは高価であるため、実際には図５に示すように、光センサの数を２個としたディスク位置検知手段が採用されている。図５において、４ａ，４ｂ，４ｃはディスク４の位置を表している。シャーシ１の中央には、ターンテーブル３、これを回転駆動するスピンドルモータ（図示せず）および信号読み取り用の光ピックアップ５が取り付けられている。ディスクの挿入・排出を行う開口部１１側には、内部方向に向かって光センサＡ、送りローラ２、光センサＢが設置されている。光センサＡ，Ｂは、周知のようにＬＥＤとフォトセンサを組にした透過式または反射式のものである。【０００４】
ディスク４が開口部１１から挿入されてローディング開始位置４ａに来ると、ディスク４により光センサＡは遮光されてオンとなり、その検出出力に応答して送りローラ２が回転する。ディスク４は、さらに挿入されて送りローラ２にかかると、ローラ２によって内部方向に送られる。ディスク４がその移動過程にあるイジェクト完了位置４ｂに達すると、もう一つの光センサＢも遮光されてオンとなる。さらにローラ２によって送られるディスク４が再生位置４ｃまで来ると、周知の動作であるが、ディスク４の縁が当接することによりローラ停止スイッチ（図示せず）が入り、送りローラ２は停止する。ディスク４は、この再生位置４ｃにおいて送りローラ２から開放されてターンテーブル３に装着され、再生可能状態となる。次に、ユーザによりイジェクトスイッチ（図示せず）が押されると、ディスク４は、ターンテーブル３から分離され、ローディング時とは逆に回転する送りローラ２により開口部１１の方向に向かって運ばれるイジェクト動作に移る。ディスク４がイジェクト完了位置４ｂに来て光センサＢから離れると、光センサＢはオンからオフに切り換り、その検出出力に応じて送りローラ２が停止する。この状態でディスク４はその中央穴が開口部１１から露出し、手指を掛けて引き出すことが可能となる。ディスク４が引き出されて４ａの位置から離れると、光センサＡもオフとなる。上記一連の動作において、ディスク４に対する光センサＡの検知動作は、図６に示すように、ローディング開始からイジェクト完了までの間がオン状態となり、光センサＢは、ローディング動作中からイジェクト動作中がオン状態となり、ディスク４の位置が装置内にあることを正確に表している。【０００５】
しかし、上記のように光センサで構成した場合、フォトセンサが高価であり、電力供給、信号検出などの引き回し線、制御基板、電子部品が必要であるため、装置のコストアップ要因となっていた。そのため、安価な検知機構として、ディスクに当接して回動する検知レバーを設け、検知レバーでマイクロスイッチ（以下、単に「スイッチ」とする）を動作させてディスクの位置を検知する技術が提案されて来た（例えば特許文献１、特許文献２、特許文献３参照）。
２個のスイッチを使用し、ディスク検知レバーで切り替えるディスク位置検知手段の構造例を図７乃至図９に示し説明する。ディスク検知レバー６は、シャーシの開口部側の、例えば左側に設けられた軸６ｄを支点として回動するように取り付けられ、ディスク４が挿入されていない状態では、ばね（図示せず）により常時反時計方向に付勢され、ディスクの外縁を検知する検知ピン６ａが開口部側に位置するようになっている。また、ディスク検知レバー６は、円周部にスイッチ当接部６ｂを有している。ディスク再生装置のシャーシ上の所定位置には、ローディング開始位置を設定するスイッチＣとイジェクト完了位置を設定するスイッチＤが配置され、それぞれのアクチュエータをディスク検知レバー６の円周部に対向させている。ここで、ディスク検知レバー６の回動量は、図８のディスク位置４ａと４ｄで同じであり、また図９のディスク位置４ｂと４ｅで同じとなる。【０００６】
図８において、ディスク４が挿入され、ローディング開始位置４ａに来ると、ディスク４の外縁がディスク検知レバー６に取り付けられた検知ピン６ａに当接し、検知ピン６ａにはシャーシの外周方向に向けて押しのける力が働く。したがって、ディスク検知レバー６は時計方向に回動し、レバーの円周部に設けられたスイッチ当接部６ｂがスイッチＣに当接し、スイッチＣをオフからオンに切り替える。スイッチＣが切り替ったことでディスク４の挿入を検知し、その検出出力に応答して送りローラ２が回転する。ディスク４は引き続き挿入されて送りローラ２にかかると、送りローラ２によってディスク再生装置の内部方向に自動的に送られる。ディスク４が進むに従ってディスク検知レバー６も時計方向に回転が進み、ディスク４が図９に示すように４ｂの位置に来ると、スイッチ当接部６ｂがスイッチＤに当接する。ディスク４が４ｂの位置を越えると、スイッチ当接部６ｂによりスイッチＤはオフからオンに切り替わる。さらにディスク４が進むと、検知ピン６ａは最大振れを越えて戻るため、スイッチ当接部６ｂは図９に示す４ｅの位置でスイッチＤから離れ、スイッチＤはオフとなる。やがてディスク４が４ｄの位置に近づくに従って検知ピン６ａはさらに戻り、ディスク４が４ｄの位置を越えると図８に示すようにスイッチＣはオンからオフとなる。したがって、ディスク４は、両スイッチＣ，Ｄがオフの状態で再生位置４ｃに到達する。このとき、ディスク４の縁が当接することによりローラ停止スイッチ（図示せず）が入り、送りローラ２は停止する。ディスク４は、この再生位置４ｃで送りローラ２から開放されてターンテーブル３に装着され、再生可能状態となる。次に、ユーザによりイジェクトスイッチが押された場合、ディスク４はターンテーブル３から分離され、ローディング時とは逆に回転する送りローラ２により開口部１１の方向に向かって運ばれるイジェクト動作に移る。この場合、ディスク４はローディング時と逆の位置４ｃ、４ｄ、４ｅ、４ｂをたどるから、ディスク検知レバー６の動きによりスイッチＣ，Ｄは、図１０に示すような切り替え状態となる。【０００７】
【特許文献１】特開平１０−１１６４５９号公報
【特許文献２】特開２００５−２２２６００号公報
【特許文献３】特開平１０−１６２４６６号公報
【０００８】
以上のように、光センサに代えて２個のスイッチとディスク検知レバーによりローディング開始位置とイジェクト完了位置を検知するように構成した場合、次のような問題がある。
図９に示すように、イジェクト時のディスク位置４ｅと４ｂは、ディスク検知レバー６の回動量が同じであるので、スイッチＣ，Ｄは同じ検知状態となる。すなわち、イジェクト途中で、ディスクの位置がイジェクト完了位置と同じになる場合がある。そのため、例えばイジェクト中で、かつイジェクト完了に至る前において、誤ってディスクが押し込まれた場合、イジェクト完了と判断してしまい、その時点で再操作してもディスクは装置内に停止したまま排出されないという状態が発生する。また、イジェクト途中で電源がオフとなり、再びオンとなった際にディスク位置を判別できないということも起こる。
この問題を解決するためには、ローディング開始からイジェクト完了までの間、常にスイッチＣ，Ｄがオンの状態を保っている必要がある。ディスク挿入検知のスイッチＣにおいては、特許文献２、特許文献３の記載にもあるように、ローディング開始からイジェクト完了までの間において常にオンとすることは可能であるが、スイッチＤをローディング開始からイジェクト完了までの間において常にオン状態にすることは、機構が非常に複雑となり実現困難である。【０００９】
この発明は、上記問題点を解決するためになされたもので、１個の光センサ、１個のスイッチおよびディスク検知レバーを用いた簡潔かつ低コストの構成により、ディスクの挿入状態を確実に検知可能にするディスク再生装置を得ることを目的とする。
【発明の開示】
【００１０】
この発明に係るディスク再生装置は、スイッチ当接部と光遮断部を有し、検知ピンにディスクの外縁が当接することにより当該ディスクのローディング動作およびイジェクト動作に応じて回動するディスク検知レバーと、スイッチ当接部により切り替えられることによりローディング開始位置を検出すると共にディスクの挿入状態を検出する１個のスイッチと、光遮断部およびディスクのいずれかにより遮光状態が保たれることによりディスクの挿入状態を検出すると共に、ディスクによる遮光状態の解除後で光遮断部による遮光状態が解除されたときにイジェクト完了位置を検出する１個の光センサを備えたものである。
【００１１】
この発明によれば、１個の光センサ、１個のスイッチおよびディスク検知レバーを用いた簡潔な構成により、ローディング開始位置とイジェクト完了位置の検出は勿論のこと、ローディング開始からイジェクト完了までの間において常にディスクが挿入されている状態を確実に検知することができるようにしたので、イジェクト途中で、ディスク検知レバーの回動量がイジェクト完了位置と同じになる場合でも、誤ってイジェクト動作を停止してしまうことは無い。また、イジェクト途中で電源が中断から復帰した場合にもディスク位置を判別できる。また、２個の光センサを用いた場合よりもコスト低減したディスク位置検知手段とすることができる。
【図面の簡単な説明】
【００１２】
【図１】この発明の実施の形態１によるディスク再生装置のディスク位置検出手段の構成を示す平面図である。
【図２】この発明の実施の形態１に係るディスク位置検出手段による位置検出状態を示す説明図である。
【図３】この発明の実施の形態１に係るディスク位置検出手段による他の位置検出状態を示す説明図である。
【図４】この発明の実施の形態１に係るディスク位置検出手段の検知状態の遷移を示す説明図である。
【図５】従来の光センサによるディスク位置検出手段を適用したディスク装置の内部構造を示す平面図である。
【図６】図５のディスク位置検出手段の検知状態の遷移を示す説明図である。
【図７】従来のスイッチによるディスク位置検出手段の構成を示す平面図である。
【図８】図７のディスク位置検出手段による位置検出状態を示す説明図である。
【図９】図７のディスク位置検出手段による他の位置検出状態を示す説明図である。
【図１０】図７のディスク位置検出手段の検知状態の遷移を示す説明図である。
【発明を実施するための最良の形態】
【００１３】
以下、この発明をより詳細に説明するために、この発明を実施するための最良の形態について、添付の図面に従って説明する。
実施の形態１．
図１は、この発明の実施の形態１によるディスク再生装置のディスク位置検知手段の構成を示す説明図である。図において、図７と同じ構成部分には同一符号を付して示している。
ディスク検知レバー６は、シャーシの開口部側の、例えば左側に設けられた軸６ｄを支点として回動するように取り付けられ、ディスクが挿入されていない状態では、ばね（図示せず）により常時反時計方向に付勢され、ディスクの外縁を検知する第１の検知ピン６ａ−１が開口部側に、また、ディスクの侵入側に第２の検知ピン６ａ−２が位置するようになっている。また、ディスク検知レバー６は、円周部にスイッチ当接部６ｂと光遮断部６ｃを有している。ディスク再生装置のシャーシ上にはローディング開始位置を検知するスイッチＣが配置され、そのアクチュエータをディスク検知レバー６の円周部に対向させている。また、シャーシ上にはイジェクト完了位置を検知する光センサＦが配置され、ディスク検知レバー６の円周部に対向させており、ディスク検知レバー６の光遮断部６ｃによりオン・オフするようになっている。ここで、ディスク検知レバー６の回動量は、図２のディスク位置４ａと４ｄで同じであり、また図３のディスク位置４ｂと４ｅで同じとなる。【００１４】
次に動作について説明する。
図２において、ディスク４が挿入され、ローディング開始位置４ａに来ると、ディスク４の外縁がディスク検知レバー６に取り付けられた第１の検知ピン６ａ−１に当接し、第１の検知ピン６ａ−１にはシャーシの外周方向に向けて押しのける力が働く。したがって、ディスク検知レバー６は時計方向に回動し、当該回動に応じてレバーの円周部に設けられたスイッチ当接部６ｂが移動してスイッチＣのアクチュエータに当接し、スイッチＣをオフからオンに切り替える。スイッチＣが切り替ったことでディスク４の挿入を検知し、その検出出力に応答して送りローラ２が回転する。ディスク４は引き続き挿入されて送りローラ２にかかると、送りローラ２によってディスク再生装置の内部方向に自動的に送られる。ディスク４が進むに従って第２の検知ピン６ａ−２に当接し、ディスク検知レバー６は更に時計方向に回転が進み、ディスク４が図３に示す４ｂの位置を過ぎると、ディスク検知レバー６の光遮断部６ｃによって光センサＦの入射光を遮断し、光センサＦの検出出力はオフからオンに切り替わる。さらにディスク４が進むと、ディスク検知レバー６は最大振れを越えて戻るため、光遮断部６ｃは図３に示す４ｅの位置で光センサＦから離れる。しかし、この時すでに光センサＦの上にはディスク４が来ているので、ディスク４により遮光状態は保たれ、光センサＦの検出出力はオン状態のままとなる。やがてディスク４が図２に示す４ｄの位置に近づくに従ってディスク検知レバー６はさらに戻るが、第２の検知ピン６ａ−２がディスク４の外縁に当接し、図２の鎖線位置までしか戻されないため、スイッチＣは、ディスク４が４ｄの位置を越えてもオンの状態を保つ。したがって、ディスク４は、光センサＦとスイッチＣがオンの状態で再生位置４ｃに到達する。再生位置４ｃに来ると、ディスク４の縁が図示しないディスク挿入完了検知レバーに当接することによりローラ停止スイッチ（図示せず）が入り、送りローラ２は停止する。ディスク４は、この再生位置４ｃで送りローラ２から開放されてターンテーブル３に装着され、再生可能状態となる。【００１５】
次に、再生可能状態において、ユーザによりイジェクトスイッチ（図示せず）が押された場合、ディスク４はターンテーブル３から分離され、ローディング時とは逆に回転する送りローラ２により開口部１１の方向に向かって運ばれるイジェクト動作に移る。この場合、ディスク４はローディング時と逆の順の位置４ｃ、４ｄ、４ｅ、４ｂをたどる。ディスク４は、４ｂの位置に到達する前に光センサＦに対する遮光状態を既に解除している。４ｂの位置では、ディスク検知レバー６の光遮断部６ｃが光センサＦの遮光状態を解除し、光センサＦはオンからオフになる。このことによりイジェクト完了を検知し、送りローラ２が停止する。
一連の動作における光センサＦとスイッチＣの検知状態の遷移は図４に示すようになる。図４において、ローディング開始からイジェクト完了までの間は常にスイッチＣおよび光センサＦがオンとなっており、ディスク４がディスク再生装置内に存在している状態を確実に検出していることが分かる。【００１６】
以上のように、この実施の形態１によれば、スイッチ当接部６ｂと光遮断部６ｃを有し、第１の検知ピン６ａ−１、第２の検知ピン６ａ−２をディスクの外縁に当接させることにより当該ディスクのローディング動作およびイジェクト動作に応じて回動するディスク検知レバー６と、スイッチ当接部６ｂにより切り替えられることによりローディング開始位置を検出すると共にディスクの挿入状態を検出する１個のスイッチＣと、光遮断部６ｃおよびディスクのいずれかにより遮光状態が保たれることによりディスクの挿入状態を検出すると共に、ディスクによる遮光状態の解除後で光遮断部６ｃによる遮光状態が解除されたときにイジェクト完了位置を検出する１個の光センサＦとでディスク位置検出手段を構成している。したがって、簡潔な構成でローディング開始位置とイジェクト完了位置の検出は勿論のこと、ローディング開始からイジェクト完了までの間において常にディスクが挿入されている状態を確実に検知することができる。そのため、イジェクト途中で、ディスク検知レバーの回動量がイジェクト完了位置と同じになる場合でも、誤ってイジェクト動作を停止してしまうことは無い。また、イジェクト途中で電源が中断から復帰した場合にもディスク位置を判別できる。また、２個の光センサを用いた場合よりも低コストのディスク位置検知手段とすることができる。
【産業上の利用可能性】
【００１７】
以上のように、この発明に係るディスク再生装置は、スイッチ当接部で切り替えられることによりローディング開始位置やディスクの挿入状態を検出する１個のスイッチと、ディスクによる遮光状態の解除後で光遮断部による遮光状態が解除されたときにイジェクト完了位置を検出する１個の光センサを備えた構成にしたことで、低コストかつディスクの挿入状態を確実に検知可能になるので、スロットイン方式の車載用ディスク再生装置などに用いるのに適している。
【図１】
2009016790.tif 000003
【図２】
2009016790.tif 000004
【図３】
2009016790.tif 000005
【図４】
2009016790.tif 000006
【図５】
2009016790.tif 000007
【図６】
2009016790.tif 000008
【図７】
2009016790.tif 000009
【図８】
2009016790.tif 000010
【図９】
2009016790.tif 000011
【図１０】
2009016790.tif 000012
【国際調査報告】
2009016790.tif 000013
2009016790.tif 000014
2009016790.tif 000015